(57)【特許請求の範囲】
【請求項１】
器具前面の電池収納部に取り付け固定された電池ボックスに、蓋付き電池ケースを器具の前面から挿脱可能に備えた乾電池ケースにおいて、
上記蓋付き電池ケースを器具から取り出し方向に付勢する付勢手段と、その付勢手段による付勢力に抗して上記蓋付き電池ケースを収納位置で電池ボックスに対して係合保持するストッパーと、そのストッパーの係合を解除する解除操作部と、上記ストッパーの係合動作方向に上記蓋付き電池ケースを押し付ける押さえ手段とを備えると共に、上記付勢手段は、上記電池ボックスの奥側壁に設けられ、上記蓋付き電池ケースを収納位置に挿入すると、その挿入された蓋付き電池ケースに収容されている乾電池の一方の電極に直接接触して付勢する接続端子バネであることを特徴とする乾電池ケース。
【請求項２】
上記押さえ手段は、上記蓋付き電池ケースを収納位置に挿入すると、その挿入された蓋付き電池ケースに収容されている乾電池の他方の電極の端子板に直接接触して押し付ける接続端子バネであることを特徴とする請求項１に記載の乾電池ケース。
【請求項３】
上記付勢手段の接続端子バネは、乾電池の負極に接触するコイルバネで構成され、上記押さえ手段の接続端子バネは、乾電池の正極端子板に接触する板バネで構成されていることを特徴とする請求項２に記載の乾電池ケース。
【請求項４】
器具がテーブルコンロであって、上記電池収納部が上記テーブルコンロの操作パネルにおける点火スイッチの隣に並べて設けられ、上記蓋付き電池ケースが収納位置にあるとき蓋面が上記操作パネル面と同一面上に位置決めされていることを特徴とする請求項１乃至３のいずれかに記載の乾電池ケース。
【発明の詳細な説明】
【０００１】
【産業上の利用分野】
この発明は、たとえば、ガステーブルこんろ等のガス燃焼器具に好適な乾電池ケースに関する。
【０００２】
【従来の技術】
たとえば、ガステーブルこんろ等のガス燃焼器具にあっては、一般に器具の底部前面又は後部の一側に乾電池ケースを設けているため、電池交換等に際しては、器具を持ち上げたり、器具を前方へ引き出したり、器具の後部をのぞき込んだりしなければならず、しかも、乾電池ケースに対する乾電池の脱着にも相当の困難性がともなうものである。
したがって、器具の正面から乾電池ケースの位置が確認し難いこともあって電池交換等に多くの手間がかかり、取扱い上甚だ不便、かつ、面倒なものであった。
【０００３】
そこで、従来、ガステーブルこんろ等のガス燃焼器具の前面側に乾電池ケースを設け、器具前面からの電池交換等を可能として上記不具合を解消しようとする試みが提案されている。
【０００４】
上記従来の器具前面からの電池交換等を可能としたものとしては、たとえば、図１１に示されているように、ガイドレール１００を備えたケース本体１０１に、前面カバー１０２と上面が開口された舟型の電池ケース１０３をスライド台１０４に一体に備えたスライド体を収納又は引きだし可能に設けた乾電池ケース（以下従来例１という）、或いは図１２及び図１３に示されているように、上ガイド板１０５と下ガイド板１０６及び接点金具１０７からなるケース本体に、把持１０８を有し両側が開口された電池ケース１０３を挿入、脱出可能に設け、かつ、別体の前面カバー１０２を備えた乾電池ケース（以下従来例２及び従来例３という）等がある。
【０００５】
【発明が解決しようとする課題】
上記従来例１の乾電池ケースは、電池交換に際しケース本体１０１からスライド体を中途まで引き出し、電池ケース１０３に収納されている使用済みの乾電池を上面開口から取り出して新しい乾電池を上面開口から電池ケース１０３内に収容した後、スライド体をケース本体１０１内に押し込みセットするものであるが、ケース本体１０１に対する電池ケース１０３の収納位置における保持手段がないので、収納状態が不安定であり、電池ケース１０３が収納位置から少しでもずれると前面カバー１０２が器具の前面から突出、或いは没入して段差を生じて見苦しい。
また、電池ケース内に乾電池を収容するには、負極側で接続端子バネを圧縮しながら正極側を押し込んで保持させなくてはならないので面倒である。
【０００６】
上記従来例２及び従来例３の乾電池ケースは、電池交換に際し、先ず、前面パネルのカバー１０２を外し、次いで、把手を摘んでケース本体１０１から電池ケース１０３を引き抜いて器外に持ち出し、電池ケース１０３に収納されている使用済みの乾電池を両側開口から取り外し、新しい乾電池を両側開口から電池ケース１０３内に収容した後、乾電池が収容された電池ケース１０３をケース本体に押し込みセットし、その後、前面カバー１０２を被せるものであるから、電池ケースと別体のカバーは前面パネルと同一面に位置決めされて段部を生ずることがなく、把手を利用して電池ケース１０３の引き出し操作もしやすいが、外部からは確実にセットされたかどうかの確認ができないし、上記従来例１と同様に、ケース本体に対する電池ケース１０３の収納位置における保持手段がないので、電池ケース１０３と接点金具１０７との接続関係に安定性がなく通電不良が生ずることがあるし、電池ケース１０３が正確にセットされたかどうかの確認ができなかったった。
【０００７】
この発明は、乾電池を電池ケースに収容させやすく、その電池ケースを収納位置へ確実にセットでき、かつ電気的接続も完璧に行われ、見た目にもすっきりとした電池ケースの提供を目的としている。
【０００８】
【課題を解決するための手段】
上記課題を解決するこの発明の第１の乾電池ケースは、器具前面の電池収納部に取り付け固定された電池ボックスに、蓋付き電池ケースを器具の前面から挿脱可能に備えた乾電池ケースにおいて、上記蓋付き電池ケースを器具から取り出し方向に付勢する付勢手段と、その付勢手段による付勢に抗して上記蓋付き電池ケースを収納位置で電池ボックスに対して係合保持するストッパーと、そのストッパーの係合を解除する解除操作部と、上記ストッパーの係合動作方向に上記蓋付き電池ケースを押し付ける押さえ手段とを備えると共に、上記付勢手段には、上記電池ボックスの奥側壁に設けられ、上記蓋付き電池ケースを収納位置に挿入すると、その挿入された蓋付き電池ケースに収納されている乾電池の一方の電極に直接接触して付勢する接続端子バネであることを特徴とする。
【０００９】
上記課題を解決するこの発明の第２の乾電池ケースは、上記押さえ手段は、上記蓋付き電池ケースを収納位置に挿入すると、その挿入された蓋付き電池ケースに収容されている乾電池の他方の電極の端子板に直接接触して押し付ける接続端子バネであることを特徴とする。
【００１０】
上記課題を解決するこの発明の第３の乾電池ケースは、上記付勢手段の接続端子バネは、乾電池の負極に接触するコイルバネで構成され、上記押さえ手段の接続端子バネは、乾電池の正極端子板に接触する板バネで構成されていることを特徴とする。
【００１１】
上記課題を解決するこの発明の第４の乾電池ケースは、器具がテーブルコンロであって、上記電池収納部が上記テーブルコンロの操作パネルの点火スイッチの隣に並べて設けられ、上記蓋付き電池ケースが収納位置にあるとき蓋面が上記操作パネル面と同一面上に位置決めされていることを特徴とする。
【００１２】
【作用】
上記構成を有するこの発明の第１の乾電池ケースは、蓋付き電池ケースを電池ボックス内の所定位置まで収納すると、蓋付き電池ケースは押え手段で押圧された状態のもとに、付勢手段による取り出し方向の付勢力が加わってストッパーで確実にロックされ、その結果、蓋付き電池ケースは予め決められた所定の収納位置に安定的に保持される。
また、解除操作部の操作によりストッパーを解除することにより蓋付き電池ケースは付勢手段によって取り出し方向へ押し出される。
さらに、付勢手段として接続端子バネが採用され、その接続端子バネは、蓋付き電池ケースに収容されている乾電池の一方の電極に直接接触して付勢するようになっているから、蓋付き電池ケースをセットすることによって、乾電池の一方の電極と接続端子との電気的接続が完了する。
【００１３】
上記構成を有するこの発明の第２の乾電池ケースは、押さえ手段として蓋付き電池ケースに収容されている乾電池の他方の電極の端子板に直接接触する接続端子バネが採用されているから、蓋付き電池ケースをセットすることによって、乾電池の他方の電極と接続端子バネとの電気的接続も完了する。
【００１４】
上記構成を有するこの発明の第３の乾電池ケースは、前記両接続端子バネとして、付勢力を付与するに好適なコイルバネと、押し付け力を付与するのに好適な板バネとを使い分けしているので、機能的に優れたものとなる。
【００１５】
上記構成を有するこの発明の第４の乾電池ケースは、前面より電池交換が可能で、蓋がパネルと同一面となっていることから電池ケースが確実に収納されたかどうかの確認ができる。
【００１６】
【発明の実施の形態】
以下この発明の乾電池ケースの実施例について図面を参照して説明する。
【００１７】
図１〜図１０において、１は電池ボックスで、前面を開口した箱状に形成され、その後壁に復元力をもち、前方への付勢手段を兼備する乾電池Ａの負極側に直接接触する接続端子バネ２が設けられ、底壁前端には後述するストッパー１７の係止凸起１８が係脱する係止穴３を備え、かつ、下面には図７に例示されているように、器具Ｂのガスや水道の配管４に引掛けうる引掛け凹部５、６とネジ止め用の座７とを備えた取付座８を設けた構成となっている。
なお、上記接続端子バネ２には接続端子片２ａが外部に突出して接続されている。
【００１８】
９は蓋付き電池ケースで、内面に乾電池Ａを安定的に支承するための複数の突条１０を有し上面が開放されたケース主体１１の前方寄りに乾電池Ａのプラス側に接する端子板１２が取り付けられた凸壁１３を備え、前端には器具Ｂの前面パネル１４に穿った開口１５に適合する蓋体１６を有し、かつ、底壁前面に後述するストッパー１７を有し側壁後端には後述する係合手段２３の係合突部２５を備えた構成となっている。
【００１９】
１７はストッパーで、上記電池ボックス１の係止穴３に対して係脱動作する係止凸起１８を前方寄りの下面に有し、前端には解除操作部としての操作ツマミ１９を備えた復元力をもつ板状体で形成され、図１〜図７に示した実施例は上記蓋付き電池ケース９の底壁前面を切り抜いて一体形成されており、図１０に示した実施例では別体の係止凸起１８を有する板状体を、蓋付き電池ケース９の底壁前面に取り付けている。
そして、操作ツマミ１９の先端を上記蓋体１６の下面に位置させ、蓋体１６の下端には、上記操作ツマミ１９の先端に対して間隔をあけて向かい合う位置に突部２６が形成されていて、操作ツマミ１９と突部２６とを摘み、間隔が狭まるように挟むことにより、操作ツマミ１９の持ち上げ操作が容易に行えるようになしている。
また、係止凸起１８は逆三角形状として係止時はその反力で係止穴３に自動的に係止してロックされ、ロック解除時は操作ツマミ１９をその反力に抗して持ち上げることにより係止凸起１８が係合穴３から容易に脱出してロックが解かれるようになしている。
【００２０】
２０は、係合方向である下方への押さえ手段としての押さえ板で、上記蓋付き電池ケース９を電池ボックス１内の所定位置に収納したとき、その凸壁１３の上面に圧接する押圧凸部２１を有する復元力を持つ帯板体で形成され、上記電池ボックス１の上壁前面にその基端を固定して備えられ、上記押圧凸部２１を有する帯板体を導電性をもつ板バネで形成し、その基端を延長して上部に突出させ、乾電池Ａの正極側の接続端子片２２を兼備している。
【００２１】
２３は蓋付き電池ケース９が一定ストローク引き出されたところでその引き出しが一旦停止される係合手段で、電池ボックス１の側壁前端部に設けた切起片２４に蓋付き電池ケース９の側壁後端に設けた係合突部２５が蓋付き電池ケース９を一定ストローク引き出したところで係合されてその引きだしが規制され、蓋付き電池ケース９の前端側を持ち上げることによりその係合が外れる構成となっている。
【００２２】
図８及び図９は、この発明の乾電池ケースをガステーブルこんろに適用した実施例であって、ガステーブルこんろＢの前面一側の電池収納部に取り付け固定して器具前面からの電池交換等が容易に行えるようにしている。
なお、上記電池ボックス１と蓋付き電池ケース９はそれぞれ樹脂で一体形成するのがよく、樹脂製とすると樹脂の弾力性を利用して蓋付き電池ケース９に一体形成されるストッパー１７に復元力をもたせることができる。
また、押さえ板２０には金属製の板バネを用いるのがよい。
【００２３】
上記構成において、この発明の乾電池ケースをガステーブルこんろＢの前面一側の電池収納部に取り付け固定する場合は、電池ボックス１をその取付座８の引掛け凹部５又は６を近くのガスまたは水道の配管４に嵌めつけて引掛け支持した後、ネジ止め用の座７を器体側の取付板（図示せず）にネジ止めすれば、電池ボックス１の所定位置への取り付け固定ができる（図７及び図９参照）。
【００２４】
そこで、２個の乾電池Ａをケース主体１１に直列に配置して装着し、蓋付き電池ケース９を上記電池ボックス１に前面開口から挿入し、乾電池Ａのマイナス側に接する接続端子バネ２を圧縮して所定の収納位置にまで達すると、ストッパー１７の係止凸起１８は電池ボックス１の係止穴３にその反力で自動係止されると同時に電池ケース９の凸壁１３の上面を押さえ板２０の押圧部２１により反力で下方へ押圧する。
したがって、電池ボックス１に対し蓋付き電池ケース９は押さえ板２０による下方への押圧作用と接続端子バネ２による前方への押圧作用とでストッパー１７によるロックが確実となって所定の収納位置にセットされる。
その結果、乾電池Ａは所定の位置にあってその端子板１２への正極側の接触と接続端子バネ２への負極側の接触とが安定的に行われ、前端の蓋体１６で前面パネル１４の開口１５が塞がれる（図１及び図７参照）。
【００２５】
次に、電池交換に際し蓋付き電池ケース９を引き出すときは、ストッパー１７に備えた操作ツマミ１９と突部とを摘むことによって操作ツマミ１９を復元力に抗して持ち上げると、係止凸起１８が係止穴３から外れる（図４参照）。
この係止凸起１８が係止穴３から外れると、蓋付き電池ケース９は接続端子バネ２による前方への付勢力で僅かに押し出され、操作ツマミ１９の持ち上げ力を解いてもストッパー１７によるロックは完全に解かれたままとなる。
その後、前端の蓋体１６をもって蓋付き電池ケース９を前方へ引き出すと、蓋付き電池ケース９は一定のストローク引き出されたところで蓋付き電池ケース９の側壁後端の係合突部２５が電池ボックス１の側壁前端部の切起片２４に係合されてその引きだしが一旦停止される（図５の実線参照）。
そして、蓋付き電池ケース９の前端部を持ち上げて傾けると、切起片２４と係合突部２５との係合が外れるため（図５の鎖線参照）、そのまま前方へ引き出せば電池ボックス１から蓋付き電池ケース９を取り出すことができる。
【００２６】
そこで、蓋付き電池ケース９のケース主体１１から使用済みの乾電池を取り出し、新しい乾電池を装着した後、蓋付き電池ケース９を電池ボックス１に前述の理により挿入セットすれば電池交換は完了する。
【００２７】
上記蓋付き電池ケース９の挿脱操作において、下方への押え手段の押さえ板２０を乾電池Ａの正極側の接続端子２２に兼用すると、電池ボックス１に対し蓋付き電池ケース９を所定の収納位置まで挿入したところで押さえ板２０の押圧凸部２１が凸壁１３の上面にまで延設した端子板１２に接して正極側の通電を可能にする。
蓋付き電池ケース９を電池ボックスから引き出せば、押さえ板２０の押圧凸部２１と端子板１２との接触が解かれてその通電は断たれる。
【００２８】
以上この発明の実施例について説明したが、この発明はこうした実施例に何等限定されるものではなく、この発明の要旨を逸脱しない範囲において、種々なる態様で実施し得ることは勿論である。
たとえば、実施例は２個の乾電池を直列配置したものであるが、１個の乾電池の場合でも適用できる。
【００２９】
【発明の効果】
以上説明したこの発明の第１の乾電池ケースは、蓋付き電池ケースを電池ボックス内の所定位置まで押し込むと、蓋付き電池ケースは押え手段で前方と下方へ押圧された状態のもとにストッパーでロックされるため、蓋付き電池ケースは予め決められた所定の収納位置において確実に保持される。
また、蓋付き電池ケースに収容されている乾電池は、一方の電極に接続端子バネが直接接触して付勢するから、蓋付き電池ケースに乾電池支持用のバネが不要となり、乾電池を収容しやすくなるし、電気的接続の信頼性も増す。
【００３０】
この発明の第２の乾電池ケースは、乾電池を確実に保持するための押さえを電極と兼用できるため、構造が簡略化され、コストダウンも図られる。
【００３１】
この発明の第３の乾電池ケースは、接続端子バネとして最適な種類のバネが選択され、機能的に優れる。
【００３２】
この発明の第４の乾電池ケースは、蓋付き電池ケースを収納位置まで押し込むと、蓋体がパネルと同一面に位置決めされるから、パネル面がすっきりとするし、正確にセットされたかどうかの確認もできる。
【図面の簡単な説明】
【図１】この発明の乾電池ケースの一実施例を示した収納状態の断面図である。
【図２】蓋付き電池ケースの平面図である。
【図３】蓋付き電池ケースの底面図である。
【図４】ストッパーによるロックを外した場合の断面図である。
【図５】蓋付き電池ケースを一定ストローク引き出した状態の断面図である。
【図６】図２のＸ−Ｘ断面図である。
【図７】電池ボックスの取付座の一例を示した断面図である。
【図８】器具に対する乾電池ケースの取り付け設置状態の一例を示した全体斜視図である。
【図９】図８の一部平面図である。
【図１０】ストッパーの異なる実施例の要部を示した断面図である。
【図１１】従来例１の要部の分解斜視図である。
【図１２】従来例２の要部の分解斜視図である。
【図１３】従来例３の要部の分解斜視図である。
【符号の説明】
１・・電池ボックス
２・・接続端子バネ
９・・蓋付き電池ケース
１６・・蓋体
１７・・ストッパー
１９・・操作ツマミ
２０・・押さえ板
２３・・係合手段
【図１】
0003990750.tif 000002
【図２】
0003990750.tif 000003
【図３】
0003990750.tif 000004
【図４】
0003990750.tif 000005
【図５】
0003990750.tif 000006
【図６】
0003990750.tif 000007
【図７】
0003990750.tif 000008
【図８】
0003990750.tif 000009
【図９】
0003990750.tif 000010
【図１０】
0003990750.tif 000011
【図１１】
0003990750.tif 000012
【図１２】
0003990750.tif 000013
【図１３】
0003990750.tif 000014